(57)【要約】【課題】複数のステップからなる一連の処理に対して操作を行う際の操作性を向上させることができる原稿読取装置を提供する。【解決手段】ＣＰＵは、ユーザによる、複数のステップから構成される処理の開始の操作を受け付けた場合、処理の各ステップを順に実行する。そして、ＣＰＵは、実行したステップの履歴のアイコン４３１，４３２，４３３をディスプレイ１７に表示すると共に、実行中のステップに関する操作を入力する入力画面をディスプレイ１７に表示する。ディスプレイ１７に表示されたアイコン４３１，４３２，４３３が選択された場合、ＣＰＵは、選択された何れかのアイコン４３１，４３２，４３３に対応するステップを実行する。【選択図】図５
2009094944.tif 000002
【特許請求の範囲】
【請求項１】
複数のステップから構成される処理の開始を受け付ける開始受付部と、
該開始受付部が処理の開始を受け付けることにより、前記処理の各ステップを順に実行する実行部と、
前記実行部が実行したステップの履歴を表示する表示部と、
前記表示部に表示された履歴から一のステップの選択を受け付ける選択受付部と、
該受付部が受け付けた選択に係るステップを、前記実行部に実行させる実行制御部と
を備えていることを特徴とする原稿読取装置。
【請求項２】
前記表示部は、
前記履歴と共に、前記実行部が実行中のステップに関する操作を入力する入力画面を表示する構成としてあることを特徴とする請求項１に記載の原稿読取装置。
【請求項３】
前記選択受付部は、前記表示部の表示面を覆うタッチパネルであることを特徴とする請求項１又は２に記載の原稿読取装置。
【発明の詳細な説明】
【技術分野】
【０００１】
本発明は、コピー機、スキャナ又はファクシミリ等のように、原稿を読み取って画像を取得する機能を備える原稿読取装置に関する。
【背景技術】
【０００２】
コピー機、ファクシミリ、スキャナ又はデジタル複合機等の原稿読取装置は、一般に、タッチパネル式の操作パネルを備えている。そして、操作パネルの液晶画面には、機能の選択、及び各機能の設定を行うためのメニュー画面が表示され、ユーザは、表示された画面に従って操作するようになっている。
【０００３】
特許文献１には、ユーザが先に操作した履歴を液晶画面に表示する画像形成装置が開示されている。この特許文献１の画像形成装置は、液晶画面に、ユーザの使用頻度が低い操作より使用頻度が高い操作を表すボタン又はアイコン等の画像を優先的に表示する構成にされている。これにより、ユーザは、所望の操作を容易に選択することが可能とり、ユーザの利便性を向上させることができる。
【特許文献１】特開２００６−２２０９４０号公報
【発明の開示】
【発明が解決しようとする課題】
【０００４】
ところで、ユーザが複数のステップからなる一連の処理に対して操作する場合、あるステップの操作画面を液晶画面に表示し、表示した操作画面におけるユーザによる操作が完了した後に、次のステップの操作画面を表示することが一般的である。このような場合、完了した操作を修正する際には、全操作を取り消し、最初のステップから実行し直す必要があった。
【０００５】
しかしながら、特許文献１の画像形成装置は、完了した操作を修正する機能を備えておらず、特許文献１では、かかる問題を解消することができない。そこで、ユーザの利便性の更なる向上のため、完了したステップを容易に再実行し、操作内容を修正できる機能を備える原稿読取装置の出現が望まれている。
【０００６】
本発明はかかる事情に鑑みてなされたものであり、その目的とするところは、複数のステップからなる一連の処理に対して操作を行う際の操作性を向上させることができる原稿読取装置を提供することにある。
【０００７】
また、本発明の他の目的とするところは、実行中の処理の操作中に過去の操作内容を修正できるようにすることで、操作性を向上させることができる原稿読取装置を提供することにある。
【０００８】
さらに、本発明の他の目的とするところは、直感的な操作を行うことができる原稿読取装置を提供することにある。
【課題を解決するための手段】
【０００９】
本発明に係る原稿読取装置は、複数のステップから構成される処理の開始を受け付ける開始受付部と、該開始受付部が処理の開始を受け付けることにより、前記処理の各ステップを順に実行する実行部と、前記実行部が実行したステップの履歴を表示する表示部と、前記表示部に表示された履歴から一のステップの選択を受け付ける選択受付部と、該受付部が受け付けた選択に係るステップを、前記実行部に実行させる実行制御部とを備えていることを特徴とする。
【００１０】
また、本発明に係る原稿読取装置は、前記表示部は、前記履歴と共に、前記実行部が実行中のステップに関する操作を入力する入力画面を表示する構成としてあることを特徴とする。
【００１１】
さらに、本発明に係る原稿読取装置は、前記選択受付部は、前記表示部の表示面を覆うタッチパネルであることを特徴とする。
【発明の効果】
【００１２】
本発明によれば、表示部に表示されたステップの履歴から、ユーザが選択した一のステップが実行されるため、ユーザは、既に操作の入力が完了したステップを容易に再実行できる。例えば、ステップ１〜ステップ５の一連の処理において、ステップ４までの処理が終了した場合、表示部に表示された履歴からステップ２を選択することにより、ステップ２が実行される。即ち、ユーザは、既に完了したステップ２に関する操作を再び行うことができ、操作内容を修正できる。これにより、複数のステップからなる処理に対する操作を行う際の操作性を向上させることができる。
【００１３】
本発明によれば、表示部に表示されたステップの履歴と、実行中のステップに関する操作を入力する入力画面とが表示される。このため、ユーザは、実行中の処理に関する操作の入力途中であっても、過去のステップを実行でき、操作内容を修正できる。
【００１４】
本発明によれば、タッチパネルにより、ユーザは直感的な操作を行うことができ、操作性を向上させることができる。
【発明を実施するための最良の形態】
【００１５】
以下、本発明に係る原稿読取装置の好適な実施の形態について図面を参照して説明する。
【００１６】
本実施の形態においては、原稿読取装置としてデジタル複合機を例に説明を行う。デジタル複合機は、原稿の複写を行うコピー機能、ＰＳＴＮ（Public Switched Telephone Network：公衆電話回線網）を介してデータの送受信を行うファクシミリ機能、原稿から文字又は図形等の画像を読み取り、画像データを取得するスキャナ機能、及びＬＡＮ（Local Area Network）などのネットワークを介して与えられる画像データを印刷用紙に印刷するプリンタ機能等の複数の機能を備えている。
【００１７】
図１は、本実施の形態に係るデジタル複合機の構成を示すブロック図である。デジタル複合機は、位置取得部１２、画像取得部１４、画像形成部１６、及び出力部１８をさらに備えており、それぞれがデータバス２１を介して、後述のＣＰＵ１００及びＲＡＭ１０２に接続されている。
【００１８】
位置取得部１２は、タッチパネル１３が接続されており、ユーザが指でタッチパネル１３を押した際に、そのタッチパネル１３の押された位置を検出する。タッチパネル１３は、後述するディスプレイ１７に覆うように設けられている。タッチパネル１３は、透過性を有した材質で形成されており、ユーザは、タッチパネル１３を介してディスプレイ１７に表示される画像を視認できる。また、タッチパネル１３は、透明導電膜が設けられた素材(例えばフィルム又はガラス)を有し、透明導電膜間が向い合う方向に貼り合わせられている。そして、ユーザが指で押した時に透明導電膜同士が接触することによって信号を出力する。位置取得部１２は、タッチパネル１３から出力された信号に基づいて、ユーザがタッチパネル１３のどの位置を押したかを検出する。
【００１９】
これにより、例えば、ディスプレイ１７にアイコン又はボタン等の画像を表示し、ユーザが指でタッチパネル１３を押した位置が、ディスプレイ１７に表示された画像部分と一致する場合に、その画像に対応する処理を実行させることができる。その結果、ユーザは、物理的なボタンを実際に押すかの如く、直感的な操作を行うことができるようになる。
【００２０】
画像取得部１４は、ＣＣＤイメージセンサ１５が接続されており、原稿に印字された画像の電子的データである画像データを取得する。ＣＣＤイメージセンサ１５は、図示しない光源から原稿台にセットされた原稿に対して光が照射されたときに、原稿から反射した光を受光し、さらに電気信号に変換する。そして、画像取得部１４は、変換された電気信号をデジタルデータにさらに変換することで画像データを取得する。
【００２１】
なお、本実施の形態に係るデジタル複合機は、ユーザが、原稿を一枚ずつ原稿台にセットし原稿を読み取る以外に、ＡＤＦ（Automatic Document Feed、自動原稿送り装置）に複数頁の原稿をセットすることにより、複数頁の原稿を自動的に読み取ることが可能となっている。
【００２２】
画像形成部１６は、ディスプレイ１７が接続されており、ＣＰＵ１００で設定されたパラメータに基づいて、ディスプレイ１７に表示する画像を形成する。ディスプレイ１７は、画像形成部１６により形成された画像、例えば、デジタル複合機の機能をユーザが選択するための選択メニュー、各機能の設定を行うための設定メニュー、及び操作案内又は警告メッセージ等のユーザへ通知する情報等を表示する。
【００２３】
出力部１８は、印刷部１９及び通信部２０が接続されており、各部に適した信号を出力する。印刷部１９は、半導体レーザ又はＬＥＤ等の光源、トナーを付着させる感光体、及びトナーを熱又は圧力で印刷媒体へ転写して定着させる定着部等を有している。印刷部１９は、Ａ３縦、Ｂ４縦、Ａ４縦、Ｂ５横及びＡ５横等の各サイズの印刷用紙から最適なサイズのものを選択して、ＲＡＭ１０２に記憶された画像データの印刷を行う。通信部２０は、ＰＳＴＮ又はＬＡＮ等のネットワークを介して外部の通信機器とデータ通信可能に接続し、メールの送受信又はファクス通信等を可能にする。
【００２４】
また、デジタル複合機は、上述の各部を制御し、デジタル複合機全体の動作を制御するＣＰＵ（Central Processing Unit）１００、ＲＯＭ（Read Only Memory）１０１、及びＲＡＭ（Random Access Memory）１０２を備えている。ＲＯＭ１０１は、処理プログラム及びデータ等が記憶される不揮発性のメモリである。ＲＡＭ１０２は、ファクシミリ通信により受信した画像データ、又は、画像取得部１４により取得した画像データ等を一時的に記憶する揮発性のメモリである。ＣＰＵ１００は、ＲＯＭ１０１に予め記憶されたプログラム及びデータを読み出して実行することにより、デジタル複合機の各部の動作を制御する。そして、ＣＰＵ１００は、開始受付部１１０、実行部１２０、選択受付部１３０、実行制御部１４０及び表示制御部１５０等のソフトウェア的機能を実現する。
【００２５】
開始受付部１１０は、位置取得部１２が検出した、ユーザが押したタッチパネル１３の位置に基づいて、ユーザがタッチパネル１３から行った、処理の開始の操作を受け付ける。実行部１２０は、開始受付部１１０が受け付けた、処理の開始の操作に基づいて処理を実行する。選択受付部１３０は、ユーザがタッチパネル１３から行った、処理に対応する操作を受け付ける。実行制御部１４０は、選択受付部１３０が受け付けた、処理に対応する操作に基づく処理を、実行部１２０に実行させる。表示制御部１５０は、実行部１２０が実行する処理、及び、選択受付部１３０が受け付けたユーザの操作等に基づいて、ディスプレイ１７に画像を表示させる。
【００２６】
次に、以上のように構成されるデジタル複合機をタッチパネル１３により操作する際に、ディスプレイ１７に表示される内容について説明する。
【００２７】
図２から図５は、デジタル複合機の操作手順を説明するための模式図であり、ディスプレイ１７に表示されるメニュー、アイコン及び画像等を模式的に図示してある。また、図２から図５まで時系列に示してある。
【００２８】
デジタル複合機が待機状態（コピー又はファクシミリの送受信等の処理を行っていない状態）の場合、ディスプレイ１７には、図２に示す待機画面が表示される。待機画面では、ユーザによるデジタル複合機の操作の開始を指示する、「操作開始」の文字が付されたアイコン４１、及び、各種設定の開始を指示する、「詳細設定」の文字が付されたアイコン４２が表示される。
【００２９】
なお、ディスプレイ１７にはタッチパネル１３が設けられているため、ユーザは、アイコン及びボタン等の画像が表示された画面上を押すことで、画像を選択することができる。
【００３０】
図２の待機画面において、アイコン４１が選択された場合、ディスプレイ１７には、図３から図５に示す操作画面が順に表示される。また、アイコン４２が選択された場合には、デジタル複合機の設定、例えば、ディスプレイ１７の解像度、原稿を読み取る解像度、及び読み取る原稿の用紙サイズの設定等を行う、図示しない設定画面がディスプレイ１７に表示される。
【００３１】
本実施の形態では、アイコン４１が選択されて実行される処理は、複数のステップから構成されている。そして、図３から図５に示す操作画面は、ステップ毎に対応する操作を入力する画面である。これら操作画面では、実行中、及び、既に実行したステップを表すアイコンを表示する履歴表示領域４３、及び、実行中のステップに対応する操作を入力する操作入力領域４４が形成される。
【００３２】
まず、図３から図５に示す操作画面の操作入力領域４４に表示される内容について説明する。
【００３３】
図３に示すように、操作入力領域４４には、まず、予め登録されたユーザ名が付された複数のアイコン４５１が選択可能に表示される。選択されたアイコン４５１（図３では、ユーザ名「ＢＢＢ」が付されたアイコン）は、強調して表示される。なお、図３において、アイコン４５１は４つ表示されており、４つのアイコン４５１の上下に三角マークが表示される。そして、ユーザにより三角マークが押されることで、ディスプレイ１７に表示されていない、他のユーザ名が付されたアイコンが表示される。
【００３４】
また、操作入力領域４４には、「０」〜「９」、及び「Ｃ（Clear）」の数字及び記号が付された複数のキー４５２と、各キー４５２から入力された数値を表示する長方形のテキストボックス４５３とが表示される。また、操作入力領域４４には、アイコン４５１及び複数のキー４５２から入力されたパラメータの確定及び取消しを指示するアイコン４５４，４５５が選択可能に表示される。
【００３５】
アイコン４５４には、「確定」文字が付されてあり、アイコン４５５には、「取消し」の文字が付されてある。そして、ユーザによりアイコン４５４が選択されることにより、次のステップが実行される。また、アイコン４５５が選択されることにより、アイコン４５１の選択が解除され、テキストボックス４５３内の表示がクリアにされる。これにより、ユーザは、再度、ユーザを選択でき、暗証番号を入力することができる。
【００３６】
ユーザによりアイコン４５４が選択された場合、操作入力領域４４には、図４に示すように、原稿の片面の読み取りを指示するアイコン４６１と、原稿の両面の読み取りを指示するアイコン４６２とが選択可能に表示される。アイコン４６１には、「片面読取」の文字が付されてあり、アイコン４６２には、「両面読取」の文字が付されてある。そして、何れか一方のアイコンが選択された場合、選択されたアイコン（図４では、アイコン４６１）は、強調して表示される。
【００３７】
また、操作入力領域４４には、アイコン４６１，４６２の選択の確定及び取消しを指示する、「確定」及び「取消し」の文字がそれぞれ付されたアイコン４６３，４６４が表示される。そして、ユーザによりアイコン４６３が選択されることにより、次のステップが実行される。また、アイコン４６４が選択されることにより、アイコン４６１及びアイコン４６２の選択が解除される。これにより、ユーザは、アイコン４６１及びアイコン４６２の再選択を行うことができる。
【００３８】
ユーザによりアイコン４６３が選択された場合、操作入力領域４４には、図５に示すように、利用するデジタル複合機の機能を指示するアイコン４７１〜４７５が表示される。アイコン４７１〜４７５には、それぞれ、「コピー」、「ファクス」、「メール」、「プリンタ」、及び「保存」の文字が付されてある。ユーザは、何れかのアイコンを操作することで、コピー機能、ファクシミリ機能、メール機能、プリンタ機能、及び保存機能の何れかが実行される。この場合において、ディスプレイ１７に、各機能を実行するための画面をさらに表示するようにしてもよい。
【００３９】
なお、図３〜図５において、「取消し」の文字が付されたアイコン４５５，４６４，４７６が選択された場合、一つ前のステップに処理が戻るようにしてもよい。例えば、図５に示すアイコン４７６がユーザにより選択された場合、ディスプレイ１７には、図４に示す画面が表示される。これにより、ユーザは、原稿の読取設定を再び行うことができる。
【００４０】
次に、図３から図５に示す操作画面の履歴表示領域４３に表示される内容について説明する。
【００４１】
履歴表示領域４３には、実行中のステップ、及び、実行が終了したステップを示すアイコンが表示される。例えば、図３では、「ユーザ」の文字が付されたアイコン４３１が、反転表示される。また、図４では、「ユーザ」の文字が付されたアイコン４３１、及び、「読取」の文字が付されたアイコン４３２が表示される。そして、「読取」の文字が付されたアイコン４３２は、反転表示される。さらに、図５では、「ユーザ」の文字が付されたアイコン４３１、「読取」の文字が付されたアイコン４３２、及び、「モード」の文字が付されたアイコン４３２が表示される。そして、「モード」の文字が付されたアイコン４３３は、反転表示される。
【００４２】
図３〜図５に示すように、実行中のステップを示すアイコンは、反転表示される。これにより、ユーザは、現在実行中のステップ、及び、先に終了したステップを把握できる。また、ユーザは、一連の操作において、現在どのステップまで完了しているかを把握できる。
【００４３】
なお、履歴表示領域４３に表示される各アイコン４３１，４３２，４３３は、選択可能に表示される。そして、アイコンが選択された場合、選択されたアイコンに対応するステップが実行される。例えば、図５において、「ユーザ」の文字が付されたアイコン４３１が選択された場合、ユーザを設定するステップが実行され、ディスプレイ１７には、図３に示す画面が表示される。これにより、ユーザは、完了したステップを再実行し、入力した内容の修正を行うことができる。
【００４４】
また、図３〜図５の操作画面では、「詳細設定」の文字が付されたアイコン４２１が選択可能に表示される。アイコン４２１は、図２で説明したアイコン４２と同様であり、説明は省略する。
【００４５】
次に、以上のように構成されるデジタル複合機における操作受付処理の手順について説明する。図６は、本実施の形態に係るデジタル複合機における操作受付処理の動作を示すフローチャートである。図７は、図６のユーザ設定処理の動作を示すフローチャートである。図８は、図６の読取設定処理の動作を示すフローチャートである。図９は、図６の機能選択処理の動作を示すフローチャートである。
【００４６】
デジタル複合機のＣＰＵ１００は、ＲＯＭ１０１に格納されるプログラムを実行することで、図６に示す処理を開始する。ＣＰＵ１００は、図２に示す待機画面をディスプレイ１７に表示する（Ｓ１）。なお、ディスプレイ１７が画像を表示する場合、ディスプレイ１７は、ＣＰＵ１００の表示制御部１５０により制御され、画像を表示する。以下の説明において同様であり、説明は省略する。
【００４７】
次に、ＣＰＵ１００は、開始受付部１１０によりユーザによる操作の開始を受け付けたかを判定する（Ｓ２）。具体的には、位置取得部１２が、ユーザによるタッチパネル１３への接触位置を取得し、ＣＰＵ１００は、位置取得部１２が取得した接触位置が、ディスプレイ１７に表示したアイコン４１の位置と一致するか否かを判定する。そして、互いの位置が一致する場合は、ＣＰＵ１００は、ユーザによるタッチパネル１３への接触が、アイコン４１に対する接触であると判定する。
【００４８】
ユーザによる操作の開始を受け付けていない場合（Ｓ２：ＮＯ）、ＣＰＵ１００は、Ｓ２を繰り返す。この場合において、ユーザによりアイコン４２が選択された場合には、ＣＰＵ１００は、ディスプレイ１７に設定画面を表示する。ユーザによる操作の開始を受け付けた場合（Ｓ２：ＹＥＳ）、ＣＰＵ１００は、図７に示すユーザ設定処理を実行する（Ｓ３）。以下に説明するＳ３〜Ｓ５の処理は、ＣＰＵ１００の実行部１２０により実行される。
【００４９】
ユーザ設定処理では、ＣＰＵ１００は、図３に示す、各種アイコン又は文字等の画像をディスプレイ１７に表示する（Ｓ１１）。次に、ＣＰＵ１００は、選択受付部１３０によりユーザによる確定の操作を受け付けたか否かを判定する（Ｓ１２）。具体的には、ＣＰＵ１００は、図３に示す画面において、ユーザにより、ユーザ名が付されたアイコン４５１が選択され、複数のキー４５２から暗証番号が入力された状態で、「確定」の文字が付されたアイコン４５４が選択されたか否かを判定する。
【００５０】
ユーザによる確定の操作を受け付けていない場合（Ｓ１２：ＮＯ）、ＣＰＵ１００は、Ｓ１２を繰り返す。この場合に、ＣＰＵ１００は、選択された他のアイコンに対応する処理を実行する。例えば、「詳細設定」の文字が付されたアイコン４２１が選択された場合、ＣＰＵ１００は、設定画面をディスプレイ１７に表示する。ユーザによる確定の操作を受け付けた場合（Ｓ１２：ＹＥＳ）、ＣＰＵ１００は、複数のキー４５２から入力された暗証番号が、予め登録されている暗証番号と一致するか否かを判定する（Ｓ１３）。
【００５１】
入力された暗証番号が、予め登録されている暗証番号と一致しない場合（１３：ＮＯ）、ＣＰＵ１００は、エラーメッセージをディスプレイ１７に表示する（Ｓ１５）。その後、ＣＰＵ１００は、処理をＳ１１に戻す。一方、入力された暗証番号が、予め登録されている暗証番号と一致する場合（Ｓ１３：ＹＥＳ）、ＣＰＵ１００は、入力された内容をＲＡＭ１０２に記憶する（Ｓ１４）。ここで、入力された内容とは、選択されたユーザ名、及び、キー４５２から入力された暗証番号である。その後、ＣＰＵ１００は、ユーザ設定処理を終了し、図６のＳ４に処理を移す。
【００５２】
ＣＰＵ１００は、ユーザ設定処理の終了後、図８に示す読取設定処理を実行する（Ｓ４）。読取設定処理では、ＣＰＵ１００は、図４に示す、各種アイコン又は文字等の画像をディスプレイ１７に表示する（Ｓ２１）。次に、ＣＰＵ１００は、選択受付部１３０によりユーザによる確定の操作を受け付けたか否かを判定する（Ｓ２２）。具体的には、ＣＰＵ１００は、図４に示す画面において、アイコン４６１，４６２の何れかが選択された状態で、「確定」の文字が付されたアイコン４６３が選択されたか否かを判定する。
【００５３】
ユーザによる確定の操作を受け付けていない場合（Ｓ２２：ＮＯ）、ＣＰＵ１００は、選択受付部１３０により、履歴表示領域４３に表示される「ユーザ」の文字が付されたアイコン４３１の選択を受け付けたか否かを判定する（Ｓ２３）。アイコン４３１の選択を受け付けていない場合（Ｓ２３：ＮＯ）、ＣＰＵ１００は、処理をＳ２２に戻す。アイコン４３１の選択を受け付けた場合（Ｓ２３：ＹＥＳ）、ＣＰＵ１００は、読取設定処理を終了し、図６に示すＳ３のユーザ設定処理を実行する。この場合、ＣＰＵ１００の実行制御部１４０が、実行部１２０を制御し、Ｓ３のユーザ設定処理に処理を戻す。
【００５４】
一方、Ｓ２２において、ユーザによる確定の操作を受け付けた場合（Ｓ２２：ＹＥＳ）、ＣＰＵ１００は、選択されたパラメータをＲＡＭ１０２に記憶する（Ｓ２４）。そして、ＣＰＵ１００は、読取設定処理を終了し、図６のＳ５に処理を移す。
【００５５】
ＣＰＵ１００は、読取設定処理の終了後、図９に示す機能選択処理を実行する（Ｓ５）。機能選択処理では、ＣＰＵ１００は、図５に示す、各種アイコン又は文字等の画像をディスプレイ１７に表示する（Ｓ３１）。次に、ＣＰＵ１００は、選択受付部１３０により、ユーザによる確定の操作を受け付けたか否かを判定する（Ｓ３２）。具体的には、ＣＰＵ１００は、図５に示す画面において、アイコン４７１〜４７５の何れかが選択されることで、コピー機能又はファクシミリ機能等の機能が選択されたかを判定する。
【００５６】
ユーザによる確定の操作を受け付けていない場合（Ｓ３２：ＮＯ）、ＣＰＵ１００は、選択受付部１３０により、図５に示す、「ユーザ」の文字が付されたアイコン４３１の選択を受け付けたか否かを判定する（Ｓ３３）。アイコン４３１の選択を受け付けた場合（Ｓ３３：ＹＥＳ）、ＣＰＵ１００は、機能選択処理を終了し、図６に示すＳ３のユーザ設定処理を実行する。この場合、上述のように、ＣＰＵ１００の実行制御部１４０が、実行部１２０を制御し、ユーザ設定処理に処理を戻す。
【００５７】
一方、アイコン４３１の選択を受け付けていない場合（Ｓ３３：ＮＯ）、ＣＰＵ１００は、「読取」の文字が付されたアイコン４３２の選択を受け付けたか否かを判定する（Ｓ３４）。アイコン４３２の選択を受け付けていない場合（Ｓ３４：ＮＯ）、ＣＰＵ１００は、処理をＳ３２に戻す。アイコン４３２の選択を受け付けた場合（Ｓ３４：ＹＥＳ）、ＣＰＵ１００は、機能選択処理を終了し、図６に示すＳ４の読取設定処理を実行する。この場合においても、ＣＰＵ１００の実行制御部１４０が、実行部１２０を制御し、読取設定処理に処理を戻す。
【００５８】
一方、Ｓ３２において、ユーザによる確定の操作を受け付けた場合（Ｓ３２：ＹＥＳ）、ＣＰＵ１００は、入力されたパラメータをＲＡＭ１０２に記憶する（Ｓ３５）。そして、ＣＰＵ１００は、機能選択処理を終了し、図６のＳ６に処理を移す。
【００５９】
ＣＰＵ１００は、機能選択処理の終了後、Ｓ３〜Ｓ５の各処理でＲＡＭ１０２に記憶したパラメータに従い、処理を実行する（Ｓ６）。例えば、Ｓ４の処理で、原稿の片面を読み取る設定がされ、Ｓ５の処理で、コピー機能が選択された場合、ＣＰＵ１００は、ＡＤＦにセットされた原稿の片面を読み込み、原稿の複写を行う。その後、ＣＰＵ１００は、図６の処理を終了する。
【００６０】
以上説明したように、本実施の形態デジタル複合機は、ディスプレイ１７に、一連の処理を構成する各ステップを示すアイコン４３１，４３２，４３３を選択可能に表示する。そして、ユーザにより何れかのアイコンが選択されることにより、選択されたアイコンに対応するステップを実行する。これにより、ユーザは、既に操作の入力が完了したステップを容易に再実行できる。そして、ユーザは、再実行されたステップに関する操作の内容を修正できる。即ち、複数のステップからなる処理に対する操作を行う際の操作性を向上させることができる。
【００６１】
なお、本実施の形態では、履歴表示領域４３に表示され、選択されたアイコンに対応するステップから処理を再実行しているが、選択されたアイコンに対するステップのみを実行するようにしてもよい。例えば、図６のフローチャートにおいて、ＣＰＵ１００は、機能選択処理からユーザ設定処理に戻った場合、読取設定処理を実行せず、ユーザ設定処理の終了後、機能選択処理に処理を戻すようにしてもよい。
【００６２】
また、操作手順は、図３〜図５に示す画面に限定されることはない。図１０は、他の操作手順を示す模式図である。図３〜図５の操作画面では、各ステップをアイコン４３１，４３２，４３３で示しているが、図１０に示すように、タブ形式で表示するようにしてもよい。例えば、図１０では、図３〜図５のアイコン４３１，４３２，４３３に相当するタブ５０，５１，５２と、操作入力領域４４に相当する操作入力領域５３が表示されている。なお、図１０の上図は、図５に示す、機能を選択する操作画面に相当する。この状態で、「ユーザ」の文字が付されたタブ５０が選択された場合に、操作入力領域５３には、図３に示す操作入力領域４４の内容が表示される。
【００６３】
以上、本発明の好適な一実施の形態について、具体的に説明したが、各構成及び動作等は適宜変更可能であって、上述の実施の形態に限定されることはない。
【図面の簡単な説明】
【００６４】
【図１】本実施の形態に係るデジタル複合機の構成を示すブロック図である。
【図２】デジタル複合機の操作手順を説明するための模式図である。
【図３】デジタル複合機の操作手順を説明するための模式図である。
【図４】デジタル複合機の操作手順を説明するための模式図である。
【図５】デジタル複合機の操作手順を説明するための模式図である。
【図６】本実施の形態に係るデジタル複合機における操作受付処理の動作を示すフローチャートである。
【図７】図６のユーザ設定処理の動作を示すフローチャートである。
【図８】図６の読取設定処理の動作を示すフローチャートである。
【図９】図６の機能選択処理の動作を示すフローチャートである。
【図１０】他の例の操作手順を示す模式図である。
【符号の説明】
【００６５】
１３  タッチパネル
１７  ディスプレイ
４３  履歴表示領域
４４  操作入力領域
４３１，４３２，４３３，４７１，４７２，４７３  アイコン
【図１】
2009094944.tif 000003
【図２】
2009094944.tif 000004
【図３】
2009094944.tif 000005
【図４】
2009094944.tif 000006
【図５】
2009094944.tif 000007
【図６】
2009094944.tif 000008
【図７】
2009094944.tif 000009
【図８】
2009094944.tif 000010
【図９】
2009094944.tif 000011
【図１０】
2009094944.tif 000012